(57)【特許請求の範囲】
【請求項１】
操作ハンドルに連結されたリンクと、該リンクの動作を受けて可動接触子を固定接触子に対して接触／解離操作するクロスバーを備え、操作ハンドルのオン／オフ操作により可動接触子がオン／オフ動作する回路遮断器において、
前記可動接触子の前記固定接触子に接触／離反する動作角度が前記リンクの動作方向と異なり、前記クロスバーをその動作方向に対して湾曲形成すると共に、遮断器筐体に該クロスバーの曲率形状に合わせた案内溝を設け、クロスバーを該案内溝に係合させてクロスバーの移動を曲率中心を定位置とした円周上で行われるようにし、クロスバーの先端を可動接触子の動作方向に合わせて動作させることを特徴とする回路遮断器。
【発明の詳細な説明】
【０００１】
【発明の属する技術分野】
本発明は回路遮断器に関し、特に操作ハンドルの操作により可動接触子をオン／オフ動作させるリンク機構の改良に関する。
【０００２】
【従来の技術】
回路遮断器において、ハンドル操作に連動して可動接触子をオン・オフ動作させるリンク機構は、図４に示す構成のものが知られている。図４において、１５は操作ハンドル、１６は可動接触子、１７はリンク、１８はクロスバー、１９は回路遮断器筐体の下部を構成する基台、２１は過電流検知手段（図示せず）の作動を受けて回路をトリップ操作するトリップアームであり、リンク１７は操作ハンドル１５に連結され、操作ハンドル１５のオン／オフ回動操作に従い略上下方向の直線経路を往復動するように構成され、トリップアーム２１を介してその下に配置した可動接触子１６を操作している。
又、可動接触子１６はリンク１７の下部先端部の動作が効率よく伝達されるようにリンク動作方向に直交する左右方向に配置されている。
このように配置構成することで、クロスバー１８はリンク１７の動作に従って上下動し、可動接触子１６を上下方向に移動動作させて更に下部に配置した固定接触子（図示せず）に対して接触／解離動作させている。
【０００３】
【発明が解決しようとする課題】
しかし、上記従来の構成の場合、例えば図５に示すように可動接触子１６の動作方向をリンク１７の動作方向に対して異なる方向とした場合、クロスバー１８の動作方向がリンク１７と異なることになるため、リンク１７からの作用方向を変更する作用変更部材２０の追加が必要であった。
そのため、リンク１７と可動接触子等の部材の動作方向を、筐体内空間の有効利用や小型化等のために異なる方向にした場合、かえって機構部周辺の部材配置が制約を受けることになったし、制約を逃れる配置にするためには更に追加部材が必要となる場合も発生し、筐体内空間の有効利用が思うようにできなかった。
そこで、本発明は上記問題点に鑑み、部材を追加することなくリンクの動作方向に対して可動接触子の動作方向を変更した回路遮断器を提供することを課題とする。
【０００４】
【課題を解決するための手段】
上記課題を解決するため、請求項１の発明は、 操作ハンドルに連結されたリンクと、該リンクの動作を受けて可動接触子を固定接触子に対して接触／解離操作するクロスバーを備え、操作ハンドルのオン／オフ操作により可動接触子がオン／オフ動作する回路遮断器において、前記可動接触子の前記固定接触子に接触／離反する動作角度が前記リンクの動作方向と異なり、前記クロスバーをその動作方向に対して湾曲形成すると共に、遮断器筐体に該クロスバーの曲率形状に合わせた案内溝を設け、クロスバーを該案内溝に係合させてクロスバーの移動を曲率中心を定位置とした円周上で行われるようにし、クロスバーの先端を可動接触子の動作方向に合わせて動作させることを特徴とする。
【０００５】
【発明の実施の形態】
以下、本発明を具体化した実施の形態を、図面に基づいて詳細に説明する。図１は本発明に係る回路遮断器の要部であるリンク機構部の側面説明図であり、１は操作ハンドル、２はリンク、３はクロスバー、４は可動接触子、５は固定接触子である。
【０００６】
リンク２は基部が操作ハンドル１の下部に軸着され、操作ハンドル１のオン／オフ回動操作により下方先端部が図示上下方向に動作するよう配置されている。また遮断器筐体７の基台側に立設したリンク機構保持部材８に縦方向の長孔９を設けてリンク２の上下動を案内している。
【０００７】
可動接触子４は、固定接触子５に接触／離反動作する動作角度が、上下方向であるリンク２の動作方向と異なり斜めに配置されている。クロスバー３は、可動接触子４の配置方向に合わせて下方の可動接触子当接部が可動接触子４の動作方向に略等しくなるように、上部のリンク係合部から円弧状に一定の曲率を設けて湾曲形成されている。
【０００８】
そして、遮断器筐体７の左右壁面にはクロスバー３がその曲率中心を定位置として円周上を移動するようにクロスバー３の曲率に合わせた案内溝１０が形成されている。図２はその案内溝１０を形成した遮断器筐体７の一方の内壁面を示し、案内溝１０は内壁面から案内溝１０の周囲壁部を突出させて形成されている。
また図３は図１のクロスバー３を拡大した図であり、クロスバー３の上端をリンク２に係合させてリンク２と略同一方向に動作することを可能とすると共に、下端を可動接触子４に当接させて、可動接触子と略同一方向に動作させることを可能としている。尚、３ａはクロスバーの移動を案内するためにクロスバー３の端部に形成されたガイド片である。
【０００９】
このように、リンクの動作方向と可動接触子の接触／離反動作方向が異なっても、クロスバーを湾曲させてその曲率に合わせてクロスバーを移動動作させるので、一端をリンクの作用方向に合わせて動作させると共に他端を可動接触子の動作方向に合わせて動作させることができ、リンクとクロスバーの間に別途方向変換部材を設ける必要が無くなる。
その結果、リンクの動作方向上に可動接触子を配置しなくても部材点数を増やすこと無く動作させることができるようになり、部材配置の制約を無くすことができ、内部スペースを有効に活用できる部材配置を容易に実施できるようになる。また、そのように配置しても追加部材を必要としないため、コスト増となることもないし、内部スペースを有効に活用可能となるため、回路遮断器の小型化にも大きく貢献できる。
【００１０】
尚、上記実施の形態は可動接触子が斜めに配置された場合を示したが、上記図４に示すようなリンクと可動接触子が略直交するよう配置された場合であっても、また図５に示すようなリンクと可動接触子が略平行に配置された場合であっても、クロスバーをそれに応じた曲率を設けて形成すれば作用変更部材を設けることなく対応させることができる。
【００１１】
【発明の効果】
以上詳述したように、請求項１の発明によれば、リンクの動作方向と可動接触子の動作方向が異なっても、クロスバーを湾曲させて、その曲率に合わせてクロスバーを動作させるので、リンクとクロスバーの間に別途方向変換部材を設ける必要が無くなる。
その結果、リンクの動作方向上に可動接触子を配置しなくても部材点数を増やす必要が無くなり、部材配置の制約を無くすことができ、内部スペースを有効に活用できる部材配置を容易に実施できる。また、そのように配置しても追加部材を必要としないため、コスト増となることもないし、内部スペースを有効に活用することで、回路遮断器の小型化にも大きく貢献できる。
【図面の簡単な説明】
【図１】本発明に係る回路遮断器の一例を示し、その要部であるリンク機構の側面説明図である。
【図２】図１の遮断器筐体の内壁面の説明図であり、案内溝の形状を示している。
【図３】図１のクロスバーの拡大図である。
【図４】従来の回路遮断器のリンク機構を説明する側面説明図である。
【図５】従来のリンク機構と可動接触子の動作方向が異なる場合の回路遮断器要部側面説明図である。
【符号の説明】
１・・操作ハンドル、２・・リンク、３・・クロスバー、４・・可動接触子、５・・固定接触子、７・・筐体、１０・・案内溝。
【図１】
0003764351.tif 000002
【図２】
0003764351.tif 000003
【図３】
0003764351.tif 000004
【図４】
0003764351.tif 000005
【図５】
0003764351.tif 000006